(57)【要約】      （修正有）【課題】タンブラーを洗浄後、本体を逆さにして放置しても、凹みに水が滞留しないようにすることで、タンブラーを清潔に保つことができるタンブラーを提供する。【解決手段】タンブラー本体１の外側に露出する外側底部１ａに、接地部２ａを有する凸部２を形成したタンブラーにおいて、タンブラー本体を逆さにしたとき、上記外側底部１ａは、外側底部中央近傍から外周に向かって徐々に低くするとともに、上記接地部２ａは、外側底部１ａよりも高くし、かつ、上記凸部２の周囲所要個所に排水路４を形成する。【選択図】図１
0003116101.tif 000002
【実用新案登録請求の範囲】
【請求項１】
タンブラー本体の外側に露出する外側底部に、接地部を有する凸部を形成したタンブラーにおいて、タンブラー本体を逆さにしたとき、上記外側底部は、外側底部中央近傍から外周に向かって徐々に低くするとともに、上記接地部は、外側底部よりも高くし、かつ、上記凸部の周囲所要箇所に排水路を形成したタンブラー。
【請求項２】
上記タンブラー本体は、外側底部直径を開口部直径よりも小さくし、外側底部から開口部に向かってテーパを形成するとともに、タンブラー本体の内径が、上記接地部直径と同一もしくはそれ以上の大きさになる位置のタンブラー本体内周形状と、上記接地部外周形状とを異形にし、同一のタンブラーを逆さにして複数個重ねたとき、相対的に下側に位置するタンブラーの排水路外側端と、相対的に上側に位置する本体内周面との間に隙間ができる構成にした請求項１記載のタンブラー。
【請求項３】
タンブラー本体の内径が、上記接地部直径と同一もしくはそれ以上の大きさの位置におけるタンブラー本体内周面に、止め部を形成した請求項２記載のタンブラー。
【請求項４】
開口部近傍であって、タンブラー本体内周面に保持部を形成した請求項２又は３記載のタンブラー。
【考案の詳細な説明】
【技術分野】
【０００１】
この考案は、洗浄後における水捌けをよくしたタンブラーに関する。
【背景技術】
【０００２】
図１１、図１２を用いて、従来例のタンブラーについて説明する。
図１１は、従来のタンブラーを逆さにした状態を示すものである。
図１１に示すように、従来のタンブラーは、外側底部１ａの直径が開口部１ｂの直径よりも小さく形成されたタンブラー本体１からなる。図１１は、タンブラー本体１を逆さにした状態を示しているため、外側底部１ａは図面上側に、開口部１ｂは図面下側に位置している。そして、この従来例のタンブラー本体１は、外側底部１ａの直径が開口部１ｂの直径よりも小さく形成されているため、外側底部１ａから開口部１ｂに向かって徐々に径が太くなる。
また、上記外側底部１ａの外周には、タンブラー本体１を逆さにしたとき、外側底部１ａよりも高くなる凸部２を形成している。そして、この凸部２と外側底部１ａとによって凹み３が形成される。したがって、本体１に飲料等を注いで使用する際には、図１１の上下方向が逆さになり、上記凸部２の接地部２ａが卓上等に接地し、この卓上等と外側底部１ａとの間に凹み３が介在することになる。
【０００３】
このようなタンブラーは、使用した後、洗浄機等を使用して、タンブラー本体１の内外を洗浄する。そして、タンブラーを洗浄した後は、それを乾燥させるために、開口部１ｂを下向き、つまり図１１の状態にしてしばらく放置するのが一般的である。これは、タンブラーを洗浄した際に、タンブラー本体１内外に付着した水を、重力によってタンブラー本体１に沿って開口部１ｂまで落下させ、タンブラー本体１内に水が滞留しないようにするためである。
そして、特に飲食店等では、一度に多数のタンブラーを洗浄するが、タンブラーを乾燥させるために、一つ一つ並べていたのでは、非常に広いスペースが必要となる。そのため、多くの場合、同一のタンブラーを逆さにして複数個重ねて置くことになる。この状態について図１２を用いて説明する。
【０００４】
図１２は、図１１に示すタンブラーを２つ重ねた状態を示す断面図である。なお、図面中相対的に下側に位置するタンブラーをＡとし、相対的に上側に位置するタンブラーをＢとする。そして、この従来例のタンブラーの本体１及び凸部２は厚みを有しているため、凸部２の外周直径Ｌ１と、内側底部１ｃの内径Ｌ２とでは、Ｌ１＞Ｌ２の関係が成り立っている。そして、タンブラーＡに対して、タンブラーＢを図面下側に徐々に下げていくと、タンブラーＡの凸部２と、タンブラーＢの内周面１ｄとが、タンブラーＢの内径がＬ１と等しくなる位置で、完全に接触することになる。
なお、本件に関し、特に文献調査はしていない。
【考案の開示】
【考案が解決しようとする課題】
【０００５】
上記のようなタンブラーは、洗浄後はタンブラー本体１を逆さにし、開口部１ｂを卓上等に接地させた状態でしばらく放置して乾燥させる。しかし、タンブラーの外側底部１ａには、その外周に形成した凸部２によって、その内側に凹み３が形成されるため、その凹み３に水が溜まったままになってしまうことが多くなる。
そして、上記凹み３に水が溜まったまま、タンブラーを長時間放置しておくと、この溜まった水が腐ってしまい、そのために異臭を放つという問題があった。また、水が腐らないまでも、上記凹み３に溜まった水の湿気で、タンブラーにかびが生えてしまい、それが原因で異臭を放つこともあった。
そして、この問題はタンブラーを洗浄後、複数個重ねて放置した場合に特に顕著となる。つまり、タンブラーを単体で放置した場合には、上記凹み３に水が溜まっても、蒸発により自然乾燥することが期待できる。しかし、複数個のタンブラーを重ねて放置した場合は、上に重ねられたタンブラーによって、凹み３が完全に密封された状態になってしまい、凹み３に溜まった水が蒸発せずに、いつまでも滞留してしまう。
したがって、タンブラーを重ねて放置した場合は、より水が腐りやすくなり、しかも、異臭が発生すると、上に重ねたタンブラー本体１の内周面１ｄに臭いがついてしまう。
【０００６】
この考案の目的は、タンブラーを洗浄後、本体を逆さにして放置しても、凹みに水が滞留しないようにすることで、タンブラーを清潔に保つことができ、しかも、タンブラーを複数個重ねて放置した場合でも、同様に清潔感を保つことができるタンブラーを提供することである。
【課題を解決するための手段】
【０００７】
第１の考案は、タンブラー本体の外側に露出する外側底部に、接地部を有する凸部を形成したタンブラーにおいて、タンブラー本体を逆さにしたとき、上記外側底部は、外側底部中央近傍から外周に向かって徐々に低くするとともに、上記接地部は、外側底部よりも高くし、かつ、上記凸部の周囲所要箇所に排水路を形成した点に特徴とする。
第２の考案は、タンブラー本体の外側底部直径を開口部直径よりも小さくし、外側底部から開口部に向かってテーパを形成するとともに、タンブラー本体の内径が、外側底部直径と同一もしくはそれ以上の大きさになる位置の本体内周形状と、上記接地部外周形状とを異形にし、同一のタンブラーを逆さにして複数個重ねたとき、相対的に下側に位置するタンブラーの排水路外側端と、相対的に上側に位置する本体内周面との間に隙間ができる点に特徴を有する。
【０００８】
第３の考案は、第２の考案において、タンブラー本体の内径が、上記接地部直径と同一もしくはそれ以上の大きさの位置におけるタンブラー本体内周面に、止め部を形成した点に特徴を有する。
第４の考案は、第２又は第３の考案において、開口部近傍であって、タンブラー本体内周面に保持部を形成した点に特徴を有する。
【考案の効果】
【０００９】
第１〜第４の考案によれば、凸部の周囲所要箇所に排水路を形成し、しかも外側底部中央近傍から排水路外側端に向かって徐々に低くする構成にしたので、タンブラーを洗浄後、タンブラー本体を逆さにして放置したとき、凸部内側に形成される凹みから、水を排水することができる。したがって、上記凹みで水が腐ったり、腐った水が原因で異臭を放ったりすることがない。また、上記凹みから水を排水できるので、湿気も少なくなり、かびも生えにくくなる。したがって、かびが原因となっていた異臭も発生しない。このように水が腐らず、しかも、かびも生えないので、タンブラーを清潔に保つことができる。
特に、第２〜第４の考案によれば、同一のタンブラーを逆さにして複数個重ねたとき、相対的に下側に位置するタンブラーの排水路外側端と、相対的に上側に位置するタンブラーの内周面との間に隙間ができる構成にしたので、タンブラーを複数個重ねた場合でも、確実に水を排水することができる。
さらに、第４の考案によれば、同一のタンブラーを逆さにして複数個重ねても、タンブラーの傾きを抑制することができるので、排水路から排水された水が、タンブラーの内外周面に滞留することがない。
【考案を実施するための最良の形態】
【００１０】
図１、図２に、この考案の第１実施形態を示す。なお、従来例と同様の構成要素については同様の符号を用いて説明する。
図１は、第１実施形態のタンブラーを逆さにした状態を示すものである。図１に示すタンブラーは、タンブラー本体１の外側底部１ａ及び凸部２に特徴を有する以外は、従来のタンブラーと同様であるが、ここでは同様の部分も含め再度詳しく説明する。
第１実施形態のタンブラーは、外側底部１ａの直径が開口部１ｂの直径よりも小さく形成されたタンブラー本体１からなる。図１は、タンブラー本体１を逆さにした状態を示しているため、外側底部１ａは図面上側に、開口部１ｂは図面下側に位置している。そして、このタンブラー本体１は、外側底部１ａの直径が開口部１ｂの直径よりも小さく形成されているため、外側底部１ａから開口部１ｂに向かって徐々に径が太くなる。
【００１１】
また、図２は、図１におけるＩＩ−ＩＩ線断面図であるが、上記外側底部１ａは、タンブラー本体１を逆さにしたとき、その中心を最も高くし、外周に向かって徐々に低くなるように形成している。そして、外側底部１ａの外周には凸部２を形成している。この凸部２は、その接地部２ａが外側底部１ａの中心よりも高く位置するようにしている。したがって、外側底部１ａが平坦でなく円弧形状であっても、このタンブラーを使用する場合には、凸部２の接地部２ａが卓上等に接地して安定することになる。なお、従来例のタンブラーと同様、凸部２と外側底部１ａによって凹み３が形成される。
そして、上記凸部２の周囲には、円周方向の間隔を均等にして、３つの排水路４を形成している。上記したように、外側底部１ａは外周に向かって徐々に低く形成されているため、この排水路４も、凹み３側から排水路外側端４ａに向かって徐々に低くなっている。つまり、図２に示すように、外側底部１ａの中心から排水路４及び排水路外側端４ａを介してタンブラー本体１の外周面までが、連続的に徐々に低くなっている。
【００１２】
このようにしたタンブラーは、その使用後には洗浄機等によって、タンブラー本体１の内外を洗浄し、従来例と同じように開口部１ｂを下向き、つまり図１の状態にしてしばらく放置する。
そして、洗浄水がタンブラーの内外に付着している状態で放置すると、タンブラー本体１の内外周に付着した水が、重力によって開口部１ｂに向かって落下するのは従来例と同様である。
しかし、この第１実施形態のタンブラーによれば、さらに、外側底部１ａや凹み３内に付着した水をも、凹み３から排水路４を介してタンブラー本体１の外周面へと自然の流れの中で排出することができる。
したがって、タンブラーを洗浄後、開口部１ｂを下向きにして置くだけで、水を特に拭き取らなくても、外側底部１ａに水が滞留しないので、上記凹み３で水が腐ったり、腐った水が原因で異臭を放ったりすることがない。また、上記凹み３から水を排水できるので、湿気も少なくなり、かびも生えにくくなる。したがって、かびが原因となっていた異臭も発生しない。このように水が腐らず、しかも、かびも生えないので、タンブラーを清潔に保つことができる。
【００１３】
図３〜図５に示す第２実施形態のタンブラーは、タンブラー本体１の内周面１ｄに、突部からなる止め部５を形成した点のみが、上記第１実施形態と異なり、その他の構成は同一である。したがって、同一の構成要素については同一の符号を付し、その詳細な説明を省略する。
上記止め部５は、タンブラー本体１の内径Ｌ３が、上記凸部２の外周直径Ｌ１より大きくなる位置に形成している。つまり、この止め部５を形成することによって、図４（ａ）に示す接地部２ａの外周形状と、図４（ｂ）に示す止め部５の位置におけるタンブラー本体１の内周形状とが異なることになる。
上記のように、タンブラー本体１の内径Ｌ３が、凸部２の外周直径Ｌ１よりも大きい位置で、上記止め部５を内側に突出させているので、図４（ｂ）に示すように、上記止め部５におけるタンブラー本体１の内周形状は、円形に２ヶ所の突起を形成した形状となる。一方、図４（ａ）に示すように、接地部２ａの外周形状は円形となる。そして、上記止め部５における内径をＬ４とした場合、Ｌ３＞Ｌ１＞Ｌ４の関係が成立するようにしている。
【００１４】
図５は、上記の構成にしたタンブラーを２つ重ねた状態を示す断面図である。そして、図面中相対的に下側に位置するタンブラーをＡとし、相対的に上側に位置するタンブラーをＢとする。このように、上記の構成にしたタンブラーを２つ重ねると、タンブラーＡの凸部２の接地部２ａと、タンブラーＢの止め部５が当接して、両タンブラーがそれ以上互いに入り込まなくなる。
そして、凸部２の接地部２ａと、止め部５とが当接した状態においては、タンブラーＡの排水路外側端４ａと、タンブラーＢの内周面１ｄとの間に隙間ｇが形成される。言い換えれば、Ｌ３＞Ｌ１となるタンブラー本体１の内周面１ｄに止め部５を形成すれば、タンブラーＡ，Ｂ間に径方向の遊びができ、排水路外側端４ａとタンブラー本体１の内周面１ｄとの間に隙間ｇが形成されることになる。
上記のように止め部５を設けなければ、Ｌ３＝Ｌ１の位置まで凸部２が入り込んで当接することになる。この状態においては、排水路外側端４ａとタンブラー本体１の内周面１ｄも当接することになる。このように排水路外側端４ａとタンブラー本体１の内周面１ｄとが当接してしまうと、排水路４の出口である排水路外側端４ａが塞がれることとなり、凹み３に付着した水は結局排水されなくなってしまう。
つまり、第２実施形態のタンブラーによれば、タンブラーを重ねても、排水路４の出口である排水路外側端４ａを確実に確保することができる。したがって、タンブラーを複数個重ねた場合でも、確実に水を排水することができる。
【００１５】
第３実施形態のタンブラーは、上記止め部５を、図６、図７に示す突起部にしている点のみが上記第２実施形態と異なる。そして、この第３実施形態のタンブラーは、上記第２実施形態と同様の作用及び効果を有するものであるが、それに加えて、型成形した場合でも、タンブラー本体１を引き抜くことができるという有利な点がある。
【００１６】
図８に示す第４実施形態のタンブラーは、上記第１実施形態における凸部２とタンブラー本体１との境目に、角度θを形成している。そして、図８は、このような構成にしたタンブラーを２つ重ねた状態を示した断面図である。なお、図面中相対的に下側に位置するタンブラーをＡとし、相対的に上側に位置するタンブラーをＢとする。
上記の構成にしたタンブラーを２つ重ねると、タンブラーＡの凸部２の接地部２ａと、タンブラーＢの内周面１ｄとが当接しても、排水路外側端４ａと本体内周面１ｄとの間に隙間ｇが形成される。つまり、この第４実施形態のタンブラーは、凸部２とタンブラー本体１との境目に角度θを形成したので、第２及び第３実施形態のタンブラーのように止め部５を形成しなくても、排水路外側端４ａの流路を確保することができる。ただし、この場合においても、止め部５を形成することで、排水路外側端４ａの流路をより広く確保できるという効果がある。
【００１７】
また、上記第２及び第３実施形態のタンブラーを重ねた場合、タンブラーＡの接地部２ａと、タンブラーＢの止め部５とを当接させて隙間ｇを形成したが、必ずしも接地部２ａと止め部５が当接しなくてともよい。例えば、タンブラーＢの止め部５が、タンブラーＡの凸部２の側面や本体１の外周面に当接してもよい。
さらに、上記第２〜４実施形態では、タンブラーの断面が円形のものを用いて説明したが、断面形状は円形のものに限られず、例えば多角形であってもよい。
いずれにしても、タンブラーを逆さにして複数個重ねたとき、相対的に下側に位置するタンブラーの排水路外側端４ａと、相対的に上側に位置するタンブラーの内周面１ｄとの間に、隙間ｇができる構成であればよい。
ただし、止め部５を形成して上記隙間ｇを構成にする場合には、止め部５は、底部から近傍の範囲に設けなければ、タンブラーを複数個重ねたときに非常に不安定となる。したがって、止め部５は、底部から近傍の範囲に設けることが望ましい。
【００１８】
図９に示す第５実施形態のタンブラーは、上記第２実施形態における止め部５を、タンブラー本体１の外周面に形成している点のみが上記第２実施形態と異なる。そして、上記止め部５は、タンブラー本体１の外周面において、外側底部１ａから近傍の範囲に形成している。すなわち、この第５実施形態は、本体１の外周面に止め部５を形成することによって、止め部５の位置における本体外周形状と、本体内周形状とを異形にしている。
したがって、第５実施形態のタンブラーは、止め部５を本体外周面に形成した点のみが、第２実施形態のタンブラーと異なり、その他の構成は同一である。したがって、同一の構成要素については同一の符号を付し、その詳細な説明を省略する。
【００１９】
図９は、このような構成にしたタンブラーを２つ重ねた状態を示した断面図である。なお、図面中相対的に下側に位置するタンブラーをＡとし、相対的に上側に位置するタンブラーをＢとする。上記の構成にしたタンブラーを２つ重ねると、タンブラーＡの止め部５の外周直径と、タンブラーＢの本体内周面１ｄとの内径とが等しくなる位置で当接し、両タンブラーがそれ以上互いに入り込まなくなる。
そして、止め部５と、本体内周面１ｄとが当接した状態においては、タンブラーＡの排水路外側端４ａと、タンブラーＢの内周面１ｄとの間に隙間ｇが形成される。
つまり、第５実施形態のタンブラーによれば、第２実施形態のタンブラーと同様、タンブラーを複数個重ねた状態においても、排水路の出口である排水路外側端４ａを確実に確保することができる。
したがって、タンブラーを複数個重ねた場合でも、確実に水を排水することができる。
【００２０】
図１０に示す第６実施形態のタンブラーは、上記第３実施形態において、本体１の内周面１ｄに保持部６を形成している。そして、上記保持部６は、開口部１ｂの近傍であって、タンブラー本体１の内周面１ｄに、４箇所形成している。
したがって、第６実施形態のタンブラーは、保持部６を本体内周面１ｄに形成した点のみが、第３実施形態のタンブラーと異なり、その他の構成は同一である。したがって、同一の構成要素については同一の符号を付し、その詳細な説明を省略する。
図１０は、このような構成にしたタンブラーを２つ重ねた状態を示した断面図である。なお、図面中相対的に下側に位置するタンブラーをＡとし、相対的に上側に位置するタンブラーをＢとする。上記の構成にしたタンブラーを２つ重ねると、タンブラーＡの凸部２の接地部２ａと、タンブラーＢの止め部５とが当接して、両タンブラーがそれ以上互いに入り込まなくなる。そして、止め部５と、凸部２の接地部２ａとが当接した状態においては、タンブラーＡの排水路外側端４ａと、タンブラーＢの内周面１ｄとの間に隙間ｇが形成される。
【００２１】
この状態においては、タンブラーＢの保持部６が、タンブラーＡの本体外周面に接しないように、保持部６の径方向への突出長さを、止め部５の突出長さよりも小さくしている。もし、保持部６の突出長さが、止め部５の突出長さよりも大きければ、タンブラーＡの接地部２ａと、タンブラーＢの止め部５とが当接する前に、タンブラーＢの保持部６と、タンブラーＡの外周面とが当接してしまう。すると、タンブラーＢの保持部６と、タンブラーＡの外周面とが当接した位置よりも両タンブラーが入り込めなくなってしまう。このような状態では、タンブラーＢの止め部５が、タンブラーＡの接地部２ａに着座しないため、タンブラーＢがぐらついてしまい、非常に不安定な状態になってしまう。したがって、上記の理由から、保持部６は、止め部５よりも、径方向への突出を小さく形成している。
【００２２】
上記の構成にしたタンブラーを複数個重ねていくと、タンブラー自身の重みにより、上のほうがしなってしまう。これは、タンブラーを重ねたとき、隙間ｇによる径方向への遊びにより、重ねたタンブラーの中心点が一致しなくなるためである。この状態は、隙間ｇが大きくなるとより顕著となる。
このように、タンブラーを複数個重ねて、上のほうがいずれかの方向へしなって傾いた場合に、相対的に上側に位置するタンブラーの保持部６が、相対的に下側に位置するタンブラーの外周面に当接する。したがって、このタンブラーによれば、隙間ｇを形成したことによって生じるタンブラーの傾きを保持部６によって抑制することができる。
【００２３】
また、図１０の状態から、タンブラーがいずれかの方向に傾いても、タンブラーＡの保持部６が、タンブラーＢの外周面に当接するので、タンブラーＡの外周面と、タンブラーＢの内周面との間に、排水路４から排水された水が溜まることがない。
すなわち、保持部６がない場合に、重ねたタンブラーがいずれかの方向に傾くと、相対的に上側に位置するタンブラーの開口部１ｂと、相対的に下側に位置するタンブラーの外周面とが当接してしまう。このような状態においては、上側に位置するタンブラーの排水路４から排水された水は、下側に位置するタンブラーの外周面に沿って落ちていく。しかし、上側のタンブラーの開口部１ｂと、下側のタンブラーの外周面が当接していると、この当接部分に排水された水が溜まってしまい、結局タンブラー全体としての排水がなされないことになってしまう。
この点、第６実施形態のタンブラーによれば、保持部６を設けることで、水が凹み３に滞留しないようにする機能に加え、排水路４から排水された後においても、タンブラー内外周面のいずれの位置においても水が滞留しないようにすることができる。
【００２４】
なお、ここでは、第３実施形態の突起部からなる止め部５を形成したタンブラーに、保持部６を形成したが、保持部６を形成するタンブラーはこれに限らない。例えば、第２、第５実施形態の突部からなる止め部５を形成したタンブラーでもよい。
また、上記止め部５は、本体１の内周面に形成しても、外周面に形成してもよい。どちらにしても、保持部６の径方向への突起長さが、止め部５の突起長さよりも短く形成されていればよい。
また、第４実施形態のように、止め部が形成されていなくてもよい。この場合にも、保持部６によって、両タンブラーが互いに入り込むのを妨げない大きさで形成するものであればよい。
いずれにしても、保持部６は、両タンブラーが互いに入り込むのをすることがなく、しかも、上側のタンブラーの開口部１ｂと、下側のタンブラーの外周面とが当接して、排水を妨げるのを防止するように構成したものであればよい。
【図面の簡単な説明】
【００２５】
【図１】第１実施形態のタンブラーを示す斜視図である。
【図２】図１におけるＩＩ―ＩＩ線断面図である。
【図３】第２実施形態のタンブラーを示す断面図である。
【図４】図３においてタンブラーの接地部（ａ）及び止め部（ｂ）のＩＶ−ＩＶ線断面図である。
【図５】第２実施形態のタンブラーを２つ重ねた状態を示す断面図である。
【図６】第３実施形態のタンブラーを示す斜視図である。
【図７】第３実施形態のタンブラーを２つ重ねた状態を示す断面図である。
【図８】第４実施形態のタンブラーを２つ重ねた状態を示す断面図である。
【図９】第５実施形態のタンブラーを２つ重ねた状態を示す断面図である。
【図１０】第６実施形態のタンブラーを２つ重ねた状態を示す断面図である。
【図１１】従来例のタンブラーを示す斜視図である。
【図１２】従来例のタンブラーを２つ重ねた状態を示す断面図である。
【符号の説明】
【００２６】
１        本体
１ａ      外側底部
１ｂ      開口部
１ｄ      内周面
２        凸部
２ａ      接地部
４        排水路
４ａ      排水路外側端
５        止め部
６        保持部
ｇ        隙間
Ｌ１      外側底部直径
Ｌ３      本体内径
【図１】
0003116101.tif 000003
【図２】
0003116101.tif 000004
【図３】
0003116101.tif 000005
【図４】
0003116101.tif 000006
【図５】
0003116101.tif 000007
【図６】
0003116101.tif 000008
【図７】
0003116101.tif 000009
【図８】
0003116101.tif 000010
【図９】
0003116101.tif 000011
【図１０】
0003116101.tif 000012
【図１１】
0003116101.tif 000013
【図１２】
0003116101.tif 000014